(57)【要約】【課題】  外出先等であっても、使用者の好きな時にラジオやテレビ、音楽や映像等を楽しむことができるヘッドホン、ヘッドセット、ヘッドホン又はヘッドセットを使用する録再システムを提供する。【解決手段】  ヘッドホンＡ及びヘッドセットＢは記憶手段１４を有する録再手段（ＰＵ１０）を具備し、内蔵のチューナ７による受信放送を記録し、再生する。また、Bluetooth規格による近距離無線通信手段９を具備し、Bluetooth搭載の他のＰＣ、ＰＤＡ、携帯電話等の他のＢＴ機器から取り込む音楽やビデオ映像を記録し、再生する。さらに、記憶手段として着脱可能なメモリーカード１４を利用し、他のＢＴ機器によりメモリーカード１４に記録した音楽やビデオ映像を再生する。映像データはBluetooth通信により他のＢＴ機器に送信しその表示装置に画面表示する。【選択図】  図１
2006121455.tif 000002
【特許請求の範囲】
【請求項１】
放送電波を選局受信して少なくとも放送音声を出力部から出力するチューナと、受信した放送音声を記録する記憶手段を有し、記録した前記放送音声を前記出力部から出力する録再手段とを備えることを特徴とするヘッドホン。
【請求項２】
他の機器と相互無線通信を行う近距離無線通信手段と、前記機器から送信される音信号を出力部から出力すると共に、前記音信号を記録する記憶手段を有し、記録した音信号を前記出力部から出力する録再手段とを備えることを特徴とするヘッドホン。
【請求項３】
放送電波を選局受信して少なくとも放送音声を出力部から出力するチューナと、他の機器と相互無線通信を行う近距離無線通信手段と、前記機器から送信される音信号を前記出力部から出力すると共に、前記放送音声や前記音信号を記録する記憶手段を有し、記録した前記放送音声や前記音信号を前記出力部から出力する録再手段とを備えることを特徴とするヘッドホン。
【請求項４】
近距離無線通信手段はBluetoothである請求項２又は３に記載のヘッドホン。
【請求項５】
前記チューナはラジオ放送を受信することを特徴とする請求項１又は３に記載のヘッドホン。
【請求項６】
前記チューナはテレビ放送を受信し、前記放送音声を出力すると共に、受信した放送映像を出力することを特徴とする請求項１又は３に記載のヘッドホン。
【請求項７】
前記チューナはテレビ放送を受信し、受信した前記放送音声を前記出力部に出力し、且つ、受信した放送映像を近距離無線通信手段により前記機器に送信しその機器に含まれる表示装置に画面表示すると共に、前記放送音声や前記放送映像を前記記憶手段に記録し、記録した前記放送音声を前記出力部から出力し、記録した前記放送映像を近距離無線通信手段により前記機器に送信し前記表示装置に画面表示することを特徴とする請求項３又は４に記載のヘッドホン。
【請求項８】
電源として一次電池又は二次電池を備える請求項１乃至７に記載のヘッドホン。
【請求項９】
ＣＰＵを内蔵し、前記記憶手段はＣＰＵによりデータの書き込み及び読み出しを行う着脱可能なメモリーカードである請求項１乃至８に記載のヘッドホン。
【請求項１０】
耳あて部に、カードコネクタを内蔵すると共に、メモリーカードを挿抜するカード挿入口を備え、該カード挿入口は防塵・防水手段を備える請求項９に記載のヘッドホン。
【請求項１１】
使用者の音声を検出して第１の音声信号を生成するマイクロフォンと、第１の音声信号を他の機器に送信し、他の機器から送信される音信号を受信する近距離無線通信手段と、第１の音声信号や受信した音信号を出力する出力部と、前記第１の音声信号や受信した音信号を記録する記憶手段を有し、記録した第１の音声信号や音信号を出力部から出力する録再手段とを備えたことを特徴とするヘッドセット。
【請求項１２】
放送電波を選局受信して少なくとも放送音声を出力部から出力するチューナを備え、受信した放送音声を前記記憶手段に記録し、記録した前記放送音声を前記出力部から出力することを特徴とする請求項１１に記載のヘッドセット。
【請求項１３】
前記チューナはラジオ放送を受信することを特徴とする請求項１２に記載のヘッドセット。
【請求項１４】
前記チューナはテレビ放送を受信し、前記放送音声を出力すると共に、受信した放送映像を出力することを特徴とする請求項１２に記載のヘッドセット。
【請求項１５】
前記チューナはテレビ放送を受信し、受信した前記放送音声を前記出力部に出力し、且つ、受信した放送映像を前記近距離無線通信手段により前記機器に送信しその機器に含まれる表示装置に画面表示すると共に、前記放送音声や前記放送映像を前記記憶手段に記録し、記録した前記放送音声を前記出力部から出力し、記録した前記放送映像を近距離無線通信手段により前記機器に送信し前記表示装置に画面表示することを特徴とする請求項１２に記載のヘッドセット。
【請求項１６】
近距離無線通信手段はBluetoothである請求項１１乃至１５に記載のヘッドセット。
【請求項１７】
電源として一次電池又は二次電池を備える請求項１１乃至１６に記載のヘッドセット。
【請求項１８】
ＣＰＵを内蔵し、前記記憶手段はＣＰＵによりデータの書き込み及び読み出しを行う着脱可能なメモリーカードである請求項１１乃至１７に記載のヘッドセット。
【請求項１９】
耳あて部に、カードコネクタを内蔵すると共に、メモリーカードを挿抜するカード挿入口を備え、該カード挿入口は防塵・防水手段を備える請求項１８に記載のヘッドセット。
【請求項２０】
Bluetooth規格による近距離無線通信手段を有するヘッドホン又はヘッドセットと、該ヘッドホン又はヘッドセットと前記近距離無線通信手段により送受信可能な機器とを含み、前記ヘッドホン又はヘッドセットは、ラジオ放送を選局受信するチューナとテレビ放送を選局受信するチューナの一方又は両方と、前記ヘッドホン又はヘッドセットと前記機器との間で送受信される音信号や前記チューナにより受信した放送音声を記録する記憶手段を有し、記録内容を出力部から出力する録再手段とを備えることを特徴とする録再システム。
【請求項２１】
前記テレビ放送用のチューナにより受信した放送映像は、前記近距離無線通信手段により接続される前記機器に含まれる表示装置に画面表示すると共に、前記ヘッドホン又はヘッドセットの記憶手段に記録し、前記表示装置に画面表示することを特徴とする請求項２０に記載の録再システム。
【請求項２２】
前記ヘッドホン又はヘッドセットは電源として一次電池又は二次電池を備える請求項２０又は２１に記載の録再システム。
【請求項２３】
前記ヘッドホン又はヘッドセットはＣＰＵを内蔵し、前記記憶手段はＣＰＵによりデータの書き込み及び読み出しを行う着脱可能なメモリーカードである請求項２０乃至２２に記載の録再システム。
【請求項２４】
前記ヘッドホン又はヘッドセットは耳あて部に、カードコネクタを内蔵すると共に、メモリーカードを挿抜するカード挿入口を備え、該カード挿入口は防塵・防水手段を備える請求項２３に記載の録再システム。
【発明の詳細な説明】
【技術分野】
【０００１】
本発明は、ヘッドホン、ヘッドセット、ヘッドホン又はヘッドセットを使用する録再システムに関する。
【背景技術】
【０００２】
携帯電話は既に普及し、殆どの人が持っている。その中でラジオ放送を聞いたりテレビ放送を見たりすることができるものもある。しかし、内蔵メモリの中で使用者が自由に使用できる記憶領域は少なく、ラジオ放送を録音したりテレビ放送を録画することは不可能であった。
【０００３】
また、携帯型テレビの使用時の重量感を軽減する目的で、ヘッドホンにテレビチューナや電源を内蔵し、ヘッドホンで受信した放送音声をスピーカから出力する一方で、放送映像をヘッドホンとの間で信号の授受を行うことができる専用の表示装置や携帯電話の液晶画面に表示する提案がなされている（例えば、「特許文献１」参照。）。
【特許文献１】特開２００２−２１８３５５号公報
【発明の開示】
【発明が解決しようとする課題】
【０００４】
本発明の解決しようとする課題は、上記のような携帯型の受像機器は、ラジオやテレビ放送をその放送時間に聞いたり見たりすることはできるものの、録音したり録画する機能を持っていないため、使用者の好きな時に聞いたり見たりすることはできない点にある。
【０００５】
そこで、本発明の第１の目的は、記憶手段を有する録再手段を具備し、外出先等であっても、使用者の好きな時にラジオやテレビを楽しむことができるヘッドホン、ヘッドセット、ヘッドホン又はヘッドセットを使用する録再システムを提供することにある。
【０００６】
また、本発明の第２の目的は、記憶手段を有する録再手段を利用し、ラジオやテレビの他、音楽や映像等も、外出先等であっても、使用者の好きな時に楽しむことができるヘッドホン、ヘッドセット、ヘッドホン又はヘッドセットを使用する録再システムを提供することにある。
【課題を解決するための手段】
【０００７】
上記の目的を達成するため、請求項１に係る発明は、ヘッドホンであって、放送電波を選局受信して少なくとも放送音声を出力部から出力するチューナと、受信した放送音声を記録する記憶手段を有し、記録した前記放送音声を前記出力部から出力する録再手段とを備えることを特徴とする。この発明のヘッドホンでは、外出先等であっても、使用者の好きな時に内蔵チューナにより放送電波を受信することができると共に、受信した放送音声を記憶手段に記録し再生することができるので、外出先等であっても、使用者の好きな時に前記放送音声を楽しむことができる。
【０００８】
請求項２に係る発明は、ヘッドホンであって、他の機器と相互無線通信を行う近距離無線通信手段と、前記機器から送信される音信号を出力部から出力すると共に、前記音信号を記録する記憶手段を有し、記録した音信号を前記出力部から出力する録再手段とを備えることを特徴とする。この発明のヘッドホンでは、近距離無線通信手段により送受信可能な例えば据え置き型や携帯型のＰＣ、ＰＤＡ、携帯電話、カーナビゲーション等の他の機器からラジオやテレビ放送の他、音楽等の音信号に加え、ビデオ映像等の映像信号も取り込み記憶手段に記録することができる。記録した音声や音楽は出力部から出力し、また、映像は近距離無線通信手段により送受信可能な前記機器に送信しその機器に含まれる表示装置に画面表示することができるので、外出先等であっても、使用者の好きな時に前記ラジオやテレビの他、音楽や映像等も楽しむことができる。また、近距離無線通信手段により前記機器とワイヤレスで接続し、記録手段に記録した音や映像をその機器を通じ公衆通信網を介して第三者にも聞かせたり見せたりすることもできる。
【０００９】
請求項３に係る発明は、ヘッドホンであって、放送電波を選局受信して少なくとも放送音声を出力部から出力するチューナと、他の機器と相互無線通信を行う近距離無線通信手段と、前記機器から送信される音信号を前記出力部から出力すると共に、前記放送音声や前記音信号を記録する記憶手段を有し、記録した前記放送音声や前記音信号を前記出力部から出力する録再手段とを備えることを特徴とする。この発明のヘッドホンでは、チューナにより受信した放送音声を録再手段により記録し再生することができる。また、近距離無線通信手段により送受信可能な例えばＰＣ、ＰＤＡ、携帯電話、カーナビゲーション等の他の機器からラジオやテレビ放送の他、音楽等の音信号に加え、ビデオ映像等の映像信号も取り込み記憶手段に記録することができる。記録した音声や音楽は出力部から出力し、また、映像は近距離無線通信手段により送受信可能な前記機器に送信しその機器に含まれる表示装置に画面表示することができる。このため、外出先等であっても、使用者の好きな時に前記ラジオやテレビの他、音楽や映像等も楽しむことができる。また、近距離無線通信手段により前記機器にワイヤレスで接続し、記憶手段に記録した音や映像をその機器を通じ公衆通信網を介して第三者にも聞かせたり見せたりすることができる。
【００１０】
請求項４に係る発明は、請求項２又は３に係る発明に、近距離無線通信手段はBluetoothである点が付加されたものである。この発明のヘッドホンでは、Bluetoothが搭載された例えば据え置き型や携帯型のＰＣ、ＰＤＡ、携帯電話、カーナビゲーション等の他の機器（以下、「ＢＴ機器」という。）とワイヤレスで接続でき、しかも、ＢＴ機器であればメーカー、機種等を問うことなく接続することができると共に、その接続可能な各種ＢＴ機器からラジオやテレビ放送の他、音楽等の音信号に加え、ビデオ映像等の映像信号も容易に取り込むことができるので、汎用性及び利便性に優れる。
【００１１】
請求項５に係る発明は、請求項１又は３に係る発明に、前記チューナはラジオ放送を受信する点が付加されたものである。この発明のヘッドホンでは、外出先等であっても、使用者の好きな時に内蔵チューナによりラジオ放送を受信することができると共に、受信したラジオ放送を記憶手段に記録し再生することができるので、外出先等であっても、使用者の好きな時に前記ラジオを楽しむことができる。
【００１２】
請求項６に係る発明は、請求項１又は３に係る発明に、前記チューナはテレビ放送を受信し、前記放送音声を出力すると共に、受信した放送映像を出力する表示装置を備える点が付加されたものである。この発明のヘッドホンでは、外出先等であっても、使用者の好きな時に内蔵チューナによりテレビ放送を受信することができると共に、受信した放送音声や映像を記憶手段に記録することができる。記録した放送音声は出力部から出力し、また、映像は有線又は無線で表示装置に画面表示することができるので、外出先等であっても、使用者の好きな時に前記テレビを楽しむことができる。
【００１３】
請求項７に係る発明は、請求項３又は４に係る発明に、前記チューナはテレビ放送を受信し、受信した前記放送音声をヘッドホンの前記出力部に出力し、且つ、受信した放送映像を近距離無線通信手段により前記機器に送信しその機器に含まれる表示装置に画面表示すると共に、前記放送音声や前記放送映像を前記記憶手段に記録し、記録した前記放送音声を前記出力部から出力し、記録した前記放送映像を近距離無線通信手段により前記機器に送信し前記表示装置に画面表示する点が付加されたものである。この発明のヘッドホンでは、外出先等であっても、使用者の好きな時に内蔵チューナによりテレビ放送を受信することができると共に、受信した放送音声や映像を記憶手段に記憶することができる。記録した放送音声は出力部から出力し、また、映像は近距離無線通信手段により送受信可能な前記機器に送信しその機器に含まれる表示装置に画面表示することができるので、外出先等であっても、使用者の好きな時に前記テレビを楽しむことができる。
【００１４】
請求項８に係る発明は、請求項１乃至７に係る発明に、電源として一次電池又は二次電池を備える点が付加されたものである。この発明のヘッドホンでは、各部が内蔵電源で作動しワイヤレスで使用できる。
【００１５】
請求項９に係る発明は、請求項１乃至８に係る発明に、ＣＰＵを内蔵し、前記記憶手段はＣＰＵによりデータの書き込み及び読み出しを行う着脱可能なメモリーカードである点が付加されたものである。この発明のヘッドホンでは、各部がＣＰＵにより作動制御されると共に、例えば据え置き型や携帯型のＰＣ、ＰＤＡ、携帯電話、カーナビゲーション等の他の機器によりメモリーカードにラジオやテレビ放送の他、音楽等の音信号に加え、ビデオ映像等の映像信号を記録することができる。メモリーカードに記録した音声や音楽は出力部から出力することで、外出先等であっても、使用者の好きな時に前記音声や音楽等を楽しむことができる。また、メモリーカードに記録した映像は有線又は無線で専用の表示装置に画面表示したり、近距離無線通信手段により送受信可能な例えばＰＣ、ＰＤＡ、携帯電話、カーナビゲーション等の他の機器に送信しその機器に含まれる表示装置に画面表示することで、外出先等であっても、使用者の好きな時に前記映像を楽しむことができる。さらに、音や映像は、メモリーカードにより規格が異なる近距離無線通信手段を持っている他の機器や近距離通信手段を持っていない他の機器からでも得ることができ、汎用性及び利便性に優れると共に、メモリーカードに記録した音や映像をそのメモリーカードを介して第三者にも聞かせたり見せたりすることができる。
【００１６】
請求項１０に係る発明は、請求項９に係る発明に、耳あて部に、カードコネクタを内蔵すると共に、メモリーカードを挿抜するカード挿入口を備え、該カード挿入口は防塵・防水手段を備える点が付加されたものである。この発明のヘッドホンでは、防塵・防水手段によりカード挿入口から耳あて部の内部に塵埃や雨水等が浸入するのを防止できるので、耳あて部に内蔵されるカードコネクタ、ＣＰＵボード、出力部、バッテリ等の電気・電子部品を塵埃や雨水から保護できる。また、カード挿入口を耳あて部の上面や側面に開口でき、メモリーカードの挿抜を容易に行うことができると共に、操作ボタンの配置等も含めて耳あて部の設計の自由度を上げることができる。
【００１７】
請求項１１に係る発明は、ヘッドセットであって、使用者の音声を検出して第１の音声信号を生成するマイクロフォンと、第１の音声信号を他の機器に送信し、他の機器から送信される音信号を受信する近距離無線通信手段と、第１の音声信号や受信した音信号を出力する出力部と、前記第１の音声信号や受信した音信号を記録する記憶手段を有し、記録した第１の音声信号や音信号を出力部から出力する録再手段とを備えたことを特徴とする。この発明のヘッドセットでは、近距離無線通信手段により例えば据え置き型や携帯型のＰＣや電話機とワイヤレスで接続でき、例えばＩＰ電話や携帯電話機にかかってきた電話に出てハンズフリーで通話することができる他、電子会議に参加したり、インターネット上でボイスチャットを行うことができ、また、使用者の音声による前記ＰＣや電話機のリモート操作も行うことができる。加えて記録手段に使用者の声及び通話相手の声を記録し再生することができるので、ボイスレコーダーとしても使用することができる。さらに、近距離無線通信手段により送受信可能な例えば据え置き型や携帯型のＰＣ、ＰＤＡ、携帯電話、カーナビゲーション等の他の機器からラジオやテレビ放送の他、音楽等の音信号に加え、ビデオ映像等の映像信号も取り込み記憶手段に記録することができる。記録した音声や音楽は出力部から出力し、また、映像は近距離無線通信手段により送受信可能な前記機器に送信しその機器に含まれる表示装置に画面表示することができるので、外出先等であっても、使用者の好きな時に前記ラジオやテレビの他、音楽や映像等も楽しむことができる。また、近距離無線通信手段により前記機器とワイヤレスで接続し、記録手段に記録した音や映像をその機器を通じ公衆通信網を介して第三者にも聞かせたり見せたりすることもできる。
【００１８】
請求項１２に係る発明は、請求項１１に係る発明に、放送電波を選局受信して少なくとも放送音声を出力部から出力するチューナを備え、受信した放送音声を前記記憶手段に記録し、記録した前記放送音声を前記出力部から出力する点が付加されたものである。この発明のヘッドセットでは、外出先等であっても、使用者の好きな時に内蔵チューナにより放送電波を受信することができると共に、受信した放送音声を記憶手段に記録し再生することができるので、外出先等であっても、使用者の好きな時に前記放送音声を楽しむことができる。
【００１９】
請求項１３に係る発明は、請求項１２に係る発明に、前記チューナはラジオ放送を受信する点が付加されたものである。この発明のヘッドセットでは、外出先等であっても、使用者の好きな時に内蔵チューナによりラジオ放送を受信することができると共に、受信したラジオ放送を記憶手段に記録し再生することができるので、外出先等であっても、使用者の好きな時に前記ラジオを楽しむことができる。
【００２０】
請求項１４に係る発明は、請求項１２に係る発明に、前記チューナはテレビ放送を受信し、前記放送音声を出力すると共に、受信した放送映像を出力する表示装置を備える点が付加されたものである。この発明のヘッドセッドでは、外出先等であっても、使用者の好きな時に内蔵チューナによりテレビ放送を受信することができると共に、受信した放送音声や映像を記憶手段に記録することができる。記録した放送音声は出力部から出力し、また、映像は有線又は無線で表示装置に画面表示することができるので、外出先等であっても、使用者の好きな時に前記テレビを楽しむことができる。
【００２１】
請求項１５に係る発明は、請求項１２に係る発明に、前記チューナはテレビ放送を受信し、受信した前記放送音声を前記出力部に出力し、且つ、受信した放送映像を前記近距離無線通信手段により前記機器に送信しその機器に含まれる表示装置に画面表示すると共に、前記放送音声や前記放送映像を前記記憶手段に記録し、記録した前記放送音声を前記出力部から出力し、記録した前記放送映像を近距離無線通信手段により前記機器に送信し前記表示装置に画面表示する点が付加されたものである。この発明のヘッドセットでは、外出先等であっても、使用者の好きな時に内蔵チューナによりテレビ放送を受信することができると共に、受信した放送音声や映像を記憶手段に記憶することができる。記録した放送音声は出力部から出力し、また、映像は近距離無線通信手段により送受信可能な前記機器に送信しその機器に含まれる表示装置に画面表示することができるので、外出先等であっても、使用者の好きな時に前記テレビを楽しむことができる。
【００２２】
請求項１６に係る発明は、請求項１１乃至１５に係る発明に、近距離無線通信手段はBluetoothである点が付加されたものである。この発明のヘッドセットでは、Bluetoothが搭載された例えば据え置き型や携帯型のＰＣ、ＰＤＡ、携帯電話、カーナビゲーション等の他の機器（以下、「ＢＴ機器」という。）とワイヤレスで接続でき、しかも、ＢＴ機器であればメーカー、機種等を問うことなく接続することができると共に、その接続可能な各種ＢＴ機器からラジオやテレビ放送の他、音楽等の音信号に加え、ビデオ映像等の映像信号も容易に取り込むことができるので、汎用性及び利便性に優れる。
【００２３】
請求項１７に係る発明は、請求項１１乃至１６に係る発明に、電源として一次電池又は二次電池を備える点が付加されたものである。この発明のヘッドセットでは、各部が前記電源で作動しワイヤレスで使用できる。
【００２４】
請求項１８に係る発明は、請求項１１乃至１７に係る発明に、ＣＰＵを内蔵し、前記記憶手段はＣＰＵによりデータの書き込み及び読み出しを行うメモリーカードである点が付加されたものである。この発明のヘッドセットは、各部がＣＰＵにより作動制御されると共に、例えば据え置き型や携帯型のＰＣ、ＰＤＡ、携帯電話、カーナビゲーション等の他の機器によりメモリーカードにラジオやテレビ放送の他、音楽等の音信号に加え、ビデオ映像等の映像信号を記録することができる。メモリーカードに記録した音声や音楽は出力部から出力することで、外出先等であっても、使用者の好きな時に前記音声や音楽等を楽しむことができる。また、メモリーカードに記録した映像は有線又は無線で専用の表示装置に画面表示したり、近距離無線通信手段により送受信可能な例えばＰＣ、ＰＤＡ、携帯電話、カーナビゲーション等の他の機器に送信しその機器に含まれる表示装置に画面表示することで、外出先等であっても、使用者の好きな時に前記映像を楽しむことができる。さらに、音や映像は、メモリーカードにより規格が異なる近距離無線通信手段を持っている他の機器や近距離無線通信機能を持っていない他の機器からでも得ることができ、汎用性及び利便性に優れると共に、メモリーカードに記録した音や映像をそのメモリーカードを介して第三者にも聞かせたり見せたりすることができる。
【００２５】
請求項１９に係る発明は、請求項１８に係る発明に、耳あて部に、カードコネクタを内蔵すると共に、メモリーカードを挿抜するカード挿入口を備え、該カード挿入口は防塵・防水手段を備える点が付加されたものである。この発明のヘッドセットでは、防塵・防水手段によりカード挿入口から耳あて部の内部に塵埃や雨水等が浸入するのを防止できるので、耳あて部に内蔵されるカードコネクタ、ＣＰＵボード、出力部、バッテリ等の電気・電子部品を塵埃や雨水から保護できる。また、カード挿入口を耳あて部の上面や側面に開口でき、メモリーカードの挿抜を容易に行うことができると共に、操作ボタンの配置等も含めて耳あて部の設計の自由度を上げることができる。
【００２６】
請求項２０に係る発明は、録再システムであって、Bluetooth規格による無線通信手段を有するヘッドホン又はヘッドセットと、該ヘッドホン又はヘッドセットと前記無線通信手段により送受信可能な機器とを含み、前記ヘッドホン又はヘッドセットは、ラジオ放送を選局受信するチューナとテレビ放送を選局受信するチューナの一方又は両方と、前記ヘッドホン又はヘッドセットと前記機器との間で送受信される音信号や前記チューナにより受信した放送音声を記録する記憶手段を有し、記録内容を出力部から出力する録再手段とを備えることを特徴とする。この発明の録再システムでは、前記無線通信手段により例えば据え置き型や携帯型のＰＣ、ＰＤＡ、携帯電話、カーナビゲーション等のＢＴ機器からラジオやテレビの放送音声の他、音楽等の音信号に加え、ビデオ映像等の映像信号もヘッドホン又はヘッドセットに取り込み記憶手段に記録することができる。記録した音声や音楽は出力部から出力し、また、映像は前記無線通信手段によりＢＴ機器に送信しその機器に含まれる表示装置に画面表示することができるので、外出先等であっても、使用者の好きな時に前記ラジオやテレビの他、音楽や映像等も楽しむことができる。また、前記無線通信手段により前記ＢＴ機器とワイヤレスで接続し、記録手段に記録した音や映像をその機器を通じ公衆通信網を介して第三者にも聞かせたり見せたりすることもできる。
【００２７】
請求項２１に係る発明は、請求項２０に係る発明に、前記テレビ放送用のチューナにより受信した放送映像は、前記無線通信手段により接続される前記機器に含まれる表示装置に画面表示すると共に、前記ヘッドホン又はヘッドセットの記憶手段に記録し、前記表示装置に画面表示する点が付加されたものである。この発明の録再システムでは、外出先等であっても、使用者の好きな時に内蔵チューナによりテレビ放送を受信することができると共に、受信した放送音声や映像を記憶手段に記憶することができる。記録した放送音声は出力部から出力し、また、映像は前記無線通信手段によりＢＴ機器に送信しその機器に含まれる表示装置に画面表示することができるので、外出先等であっても、使用者の好きな時に前記テレビを楽しむことができる。
【００２８】
請求項２２に係る発明は、請求項２０又は２１に係る発明に、前記ヘッドホン又はヘッドセットは電源として一次電池又は二次電池を備える点が付加されたものである。この発明の録再システムでは、ヘッドホン又はヘッドセットが前記電源で作動しワイヤレスで使用できる。
【００２９】
請求項２３に係る発明は、請求項２０乃至２２に係る発明に、ヘッドホン又はヘッドセットはＣＰＵを内蔵し、前記記憶手段はＣＰＵによりデータの書き込み及び読み出しを行うメモリーカードである点が付加されたものである。この発明の録再システムでは、ヘッドホン又はヘッドセットの動作がＣＰＵにより制御されると共に、例えば据え置き型や携帯型のＰＣ、ＰＤＡ、携帯電話、カーナビゲーション等の他の機器によりメモリーカードにラジオやテレビ放送の他、音楽等の音信号に加え、ビデオ映像等の映像信号を記録することができる。メモリーカードに記録した音声や音楽は出力部から出力することで、外出先等であっても、使用者の好きな時に前記音声や音楽等を楽しむことができる。また、メモリーカードに記録した映像は前記無線通信手段によりＢＴ機器に送信しその機器に含まれる表示装置に画面表示することで、外出先等であっても、使用者の好きな時に前記映像を楽しむことができる。さらに、音や映像は、メモリーカードにより規格が異なる近距離無線通信手段を持っている他の機器や近距離無線通信を持っていない他の機器からでも得ることができ、ＢＴ機器との連携に加えさらに汎用性及び利便性に優れると共に、メモリーカードに記録した音や映像をそのメモリーカードを介して第三者にも聞かせたり見せたりすることができる。
【００３０】
請求項２４に係る発明は、請求項２３に係る発明に、前記ヘッドホン又はヘッドセットは耳あて部に、カードコネクタを内蔵すると共に、メモリーカードを挿抜するカード挿入口を備え、該カード挿入口は防塵・防水手段を備える点が付加されたものである。この発明の録再システムでは、防塵・防水手段によりカード挿入口から耳あて部の内部に塵埃や雨水等が浸入するのを防止できるので、耳あて部に内蔵されるカードコネクタ、ＣＰＵボード、出力部、バッテリ等の電気・電子部品を塵埃や雨水から保護できる。また、カード挿入口を耳あて部の上面や側面に開口でき、メモリーカードの挿抜を容易に行うことができると共に、操作ボタンの配置等も含めて耳あて部の設計の自由度を上げることができる。
【発明の効果】
【００３１】
請求項１、１２に係る発明によれば、外出先等であっても、使用者の好きな時に、内蔵チューナによる受信放送を聞いて楽しむことができる。
【００３２】
請求項２に係る発明によれば、外出先等であっても、使用者の好きな時に、事前に近距離無線通信により他の機器から記憶手段に記録させておいたラジオやテレビ放送の他、音楽や映像等を聞いたり見たりして楽しむことができる。また、他の機器とワイヤレスで接続し、記録手段に記録した音や映像をその機器を通じ公衆通信網を介して第三者にも聞かせたり見せたりすることもできる。
【００３３】
請求項３に係る発明によれば、外出先等であっても、使用者の好きな時に、内蔵チューナによる受信放送、及び、事前に近距離無線通信により他の機器から記憶手段に記録させておいたラジオやテレビ放送の他、音楽や映像等を聞いたり見たりして楽しむことができる。また、他の機器とワイヤレスで接続し、記録手段に記録した音や映像をその機器を通じ公衆通信網を介して第三者にも聞かせたり見せたりすることもできる。
【００３４】
請求項４、１６に係る発明によれば、ＢＴ機器との連携で汎用性及び利便性に優れる。
【００３５】
請求項５、１３に係る発明によれば、外出先等であっても、使用者の好きな時に内蔵チューナにより受信したラジオ放送を聞いて楽しむことができる。
【００３６】
請求項６、１４に係る発明によれば、外出先等であっても、使用者の好きな時に内蔵チューナにより受信したテレビ放送を見て楽しむことができる。
【００３７】
請求項７、１５、２１に係る発明によれば、外出先等であっても、使用者の好きな時に内蔵チューナにより受信したテレビ放送を専用の表示装置を使用することなく見て楽しむことができる。
【００３８】
請求項８、１７、２２に係る発明によれば、各部が内蔵電源で作動しワイヤレスで使用できる。
【００３９】
請求項９、１８、２３に係る発明によれば、外出先であっても、使用者の好きな時に、事前に他の機器からメモリーカードに記録させておいたラジオやテレビ放送の他、音楽や映像等を聞いたり見たりして楽しむことができる。さらに、音や映像は、メモリーカードにより規格が異なる近距離無線通信機能を持っている他の機器やその通信機能を持っていない他の機器からでも得ることができ、汎用性及び利便性に優れると共に、メモリーカードに記録した音や映像をそのメモリーカードを介して第三者にも聞かせたり見せたりすることができる。
【００４０】
請求項１０、１９、２４に係る発明によれば、防塵・防水手段により耳あて部に内蔵される電気・電子部品の塵埃や雨水による動作不良や損傷を防止できる。また、メモリーカードの挿抜を容易に行うことができると共に、耳あて部の設計を容易に行うことができる。
【００４１】
請求項１１に係る発明によれば、外出先等であっても、使用者の好きな時に、事前に近距離無線通信により他の機器から記憶手段に記録させておいたラジオやテレビ放送の他、音楽や映像等を聞いたり見たりして楽しむことができる。また、他の機器とワイヤレスで接続し、記録手段に記録した音や映像をその機器を通じ公衆通信網を介して第三者にも聞かせたり見せたりすることもできる。さらに、記録手段に使用者の声及び通話相手の声を記録し再生することができるので、ボイスレコーダーとしても使用することができる。
【００４２】
請求項２０に係る発明は、使用者の好きな時に、事前にBluetoothにより他のＢＴ機器から記憶手段に記録させておいたラジオやテレビ放送の他、音楽や映像等を聞いたり見たりして楽しむことができる。また、前記ＢＴ機器とワイヤレスで接続し、記録手段に記録した音や映像をその機器を通じ公衆通信網を介して第三者にも聞かせたり見せたりすることもできる。前記ＢＴ機器とワイヤレスで接続し、記録手段に記録した音や映像をその機器を通じ公衆通信網を介して第三者にも聞かせたり見せたりすることもできる。
【発明を実施するための最良の形態】
【００４３】
以下、本発明の実施形態について図面を参照して説明する。
【００４４】
図１は本発明の実施形態に係るヘッドホン及びヘッドセットの外観図、図２は図１のヘッドホン及びヘッドセットの回路構成と本発明の実施形態に係る録再システムを示す概念図であり、図１に示す如く、ヘッドホンＡはそれぞれスピーカ１を内蔵する左右の耳あて部２とそれらを両端部に取り付けて連結する略Ｕ字形のアーム部３とで両耳タイプに構成される。ヘッドセットＢはそれぞれ前記スピーカ１を内蔵する前記左右の耳あて部２とそれらを両端部に取り付けて連結する略Ｕ字形の前記アーム部３に加え、一方の耳あて部２から延出するマイクアーム４の先端に取り付けるマイクロフォン５とで両耳タイプに構成される。すなわち、本実施形態では一方の耳あて部２にマイクソケットを設ける一方、マイクアーム４の基端にマイクプラグを設け、マイクロフォン５を一方の耳あて部２に一対の電気接続用ソケットとプラグを介して着脱可能とし、マイクロフォン５を取り外すことでヘッドホンＡとして使用でき、マイクロフォン５を接続することでヘッドセットＢとして使用できるヘッドホンＡ及びヘッドセットＢである。
【００４５】
図２にも示す如く、ヘッドホンＡ及びヘッドセットＢはまた、放送電波受信用のアンテナ６と、そのアンテナ６に接続され、ラジオ放送を受信するラジオチューナ７ａ及びテレビ放送を受信するテレビチューナ７ｂを有するチューナ回路７と、通信用のアンテナ８と、そのアンテナ８に接続され、Bluetooth規格による無線通信を行う近距離無線通信回路９と、ヘッドホンＡ及びヘッドセットＢの各回路を総合的に制御し、少なくとも録（録音・録画）再（再生）制御を行うＣＰＵ１０と、音声や映像のアナログデータをデジタルコードに変換（Ａ／Ｄ変換）したり、逆にデジタルコードからアナログデータに変換（Ｄ／Ａ変換）するＣＯＤＥＣ１１と、例えばリチュウムイオン電池や燃料電池等の二次電池、使いきりタイプの一次電池のいずれかの電源１２と、その電源１２をヘッドホンＡ及びヘッドセットＢの各回路に連続供給したり、間欠供給する電源回路１３と、各種操作スイッチ・ボタン及び表示用のＬＥＤとを備える。放送電波受信用のアンテナ６は左右の耳あて部２を連結するアーム部３に内蔵され、チューナ回路７、通信用のアンテナ８、近距離無線通信回路９、ＣＰＵ１０、ＣＯＤＥＣ１１、電源１２及び電源回路１３は耳あて部２に内蔵され、各種操作スイッチ・ボタン及び表示用のＬＥＤは耳あて部２のハウジング表面に配備される。また、これら各要素は必要に応じてＰＣＢやＦＰＣ上に実装構成され、また、ケーブル等で電気的に接続される。
【００４６】
ヘッドホンＡ及びヘッドセットＢはさらに、ＣＰＵ１０のプログラム等を格納して記憶するＲＯＭ等の内蔵メモリに加え、音声や映像データ等を記憶する着脱可能な記憶手段、すなわち、ＳＤカードやメモリースティック等のメモリーカード１４を備える。このため、耳あて部２にはメモリーカード１４のスロットを構成するカードコネクタ１５が内蔵される。このカードコネクタ１５もＣＰＵ１０の実装基板上に実装したり、耳あて部２のハウジングに取り付けてケーブルを接続したりして、上記の各要素と電気的に接続される。このカードコネクタ１５により前記通信用アンテナ機能と前記近距離無線通信機能、すなわち、Bluetooth通信機能を搭載するBluetoothカードの使用が可能である。
【００４７】
ところで、図示はしないが、ヘッドホンＡ及びヘッドセットＢはマイクロフォン５を接続する一つの耳あて部２を左右いずれかの耳にアーム部３により掛けて使用する片耳タイプのものであってもよい。片耳タイプの場合、アーム部３は左右いずれかの耳に掛けるようにハンガー形状に曲げ形成され、そのアーム部３の一端に耳あて部２が取り付けられる。図１に示す両耳タイプのヘッドホンＡ及びヘッドセットＢでは左耳用と右耳用の左右の耳あて部２があるため、前記各要素を重量バランスや取り扱い性を考慮して左右の耳あて部２に分散配備している。他方、図示しない片耳タイプのヘッドホンＡ及びヘッドセットＢでは放送電波受信用のアンテナ６は両耳タイプと同様にアーム部（耳掛けハンガー）３に内蔵され、その他の各要素が一つの耳あて部２に一括配備される。また、両耳、片耳いずれのタイプのヘッドセットＢでもマイクロフォン５は、使用者がヘッドセットＢを装着した時、使用者の略口元に位置し、使用者の音声を収音し検出し第１の音声信号を生成する。尚、ヘッドセットＢとしてだけに使用する専用のヘッドセットの場合、耳あて部２のハウジングを胴長に形成し、そのハウジングの先端部にマイクロフォン５を取り付け、スピーカ・マイク一体型に構成してもよい。
【００４８】
チューナ回路７のラジオチューナ７ａは少なくともＦＭ放送を受信するＦＭチューナ機能を有し、好ましくはＡＭ放送を受信するＡＭチューナ機能も加える。また、ラジオチューナ７ａ及びテレビチューナ７ｂは少なくとも地上放送を受信し、好ましくはＢＳ放送、ＣＳ放送、モバイル放送等の衛星放送を受信するチューナも加える。
【００４９】
近距離無線通信回路９、すなわち、Bluetoothは２．４ＧＨｚ帯での電波を利用し、毎秒１Ｍｂｉｔでの音声や映像データの送受信（伝送）が可能である。また、通信可能範囲は見通しで半径１０ｍ程度である。このBluetoothを搭載したヘッドホンＡ及びヘッドセットＢは同じBluetoothが搭載された例えば据え置き型や携帯型のＰＣ、ＰＤＡ、携帯電話、カーナビゲーション、その他ＡＶ機器や家電機器、医療機器等、他の機器（以下、「ＢＴ機器」という。）とワイヤレスで接続、ＢＴ機器との間で音声や映像データを送受信できる。図２にはＢＴ機器の一例としてＰＣ２０、ＰＤＡ３０、携帯電話４０を示している。
【００５０】
電源１２としてリチュウムイオン電池等の二次電池を使用する場合、ＡＣ電源、ＰＣのいずれからでも充電できるように、ＡＣ電源を使用して充電する時に用いるＡＣアダプタを接続する電源コネクタとＰＣを使用して充電する時に用いる充電用ＵＳＢケーブルを接続する電源コネクタとを耳あて部２のハウジングに備える。
【００５１】
図２に示す如く、録再システムＣは前記ヘッドホンＡ又はヘッドセットＢと、そのヘッドホンＡ又はヘッドセットＢに内蔵の近距離無線通信回路９、すなわち、Bluetoothにより音声や映像データを送受信可能なＢＴ機器２０、３０、４０とで構築されるBluetooth利用の録再システムである。
【００５２】
次に本実施形態の動作、録再機能について説明する。
【００５３】
使用者はヘッドホンＡ又はヘッドセットＢを手に持った状態又は装着状態で、その電源スイッチを入れ（電源スイッチが入いるとこれを電源ＬＥＤの点灯で表示する。）、ラジオ／テレビの選択ボタンによりラジオチューナ７ａを動作状態にし（ラジオチューナ７ａが動作状態になるとこれをチューナＬＥＤの赤色点滅で表示する。）、選局スイッチ操作により任意の放送局を選局する。これにより、動作中のラジオチューナ７ａは放送電波受信用のアンテナ６で受けたラジオの放送電波を選局して受信し受信状態になる（ラジオチューナ７ａが受信状態になるとこれをチューナＬＥＤの赤色点灯で表示する。）。受信したラジオの放送音声信号は復調され、使用者による記録スイッチ操作に基づきＣＰＵ１０により、オフ時にはボリュームに入力され、ここで音量調整ボタン操作に基づくレベルに調整されてから、アンプによって増幅され、その後、スピーカ１から音声出力される。すなわち、使用者はラジオの放送電波を受信できる場所であれば、外出先等であっても、好きなラジオの放送音声をその放送時間に聞いて楽しむことができる。
【００５４】
また、前記記録スイッチがオン時には（記録スイッチがオンになるとこれをＲＥＣＬＥＤの赤色点灯で表示する。）、ＣＰＵ１０は復調されたラジオの放送音声信号をＣＯＤＥＣ１１に入力し、デジタルコードに変換してから、デジタル音声信号として、カードコネクタ１５に予め装填されているメモリーカード１４に記録（録音）する。このメモリーカード１４に記録したデジタル音声信号は使用者による再生ボタン操作に基づきＣＰＵ１０により、メモリーカード１４から出力されてＣＯＤＥＣ１１に入力され、アナログ音声信号に変換してから、ボリューム、アンプに入力されてスピーカ１から音声出力される。すなわち、再生される。これにより、使用者は外出先等であっても、好きな時にラジオの放送音声を聞いて楽しむことができる。
【００５５】
前記ラジオ／テレビの選択ボタンによりテレビチューナ７ｂを動作状態にし（テレビチューナ７ｂが動作状態になるとこれをチューナＬＥＤの緑色点滅で表示する。）、選局スイッチ操作により任意の放送局を選局すると、動作中のテレビチューナ７ｂは放送電波受信用のアンテナ６で受けたテレビの放送電波を選局して受信し受信状態になる（テレビチューナ７ｂが受信状態になるとこれをチューナＬＥＤの緑色点灯で表示する。）。受信したテレビの音声信号は使用者による記録スイッチ操作に基づきＣＰＵ１０により、オフ時にはボリュームに入力され、ここで音量調整ボタン操作に基づくレベルに調整されてから、アンプによって増幅され、その後、スピーカ１から音声出力される。すなわち、使用者はテレビの放送電波を受信できる場所であれば、外出先等であっても、好きなテレビ番組の放送音声をその放送時間に聞いて楽しむことができる。
【００５６】
また、前記記録スイッチがオン時には（記録スイッチがオンになるとこれをＲＥＣＬＥＤの緑色点灯で表示する。）、ＣＰＵ１０はテレビの音声信号をＣＯＤＥＣ１１に入力し、デジタルコードに変換してから、デジタル音声信号として、カードコネクタ１５に予め装填されているメモリーカード１４に記録（録音）する。このメモリーカード１４に記録したデジタル音声信号は使用者による再生ボタン操作に基づきＣＰＵ１０により、メモリーカード１４から出力されてＣＯＤＥＣ１１に入力され、アナログ音声信号に変換してから、ボリューム、アンプに入力されてスピーカ１から音声出力される。すなわち、再生される。これにより、使用者は外出先等であっても、好きな時にテレビの放送音声を聞いて楽しむことができる。
【００５７】
ところで、ヘッドホンＡ又はヘッドセットＢでは、受信したテレビ放送の映像を音声を聞きながら見て楽しむことができる。それは、ヘッドホンＡ又はヘッドセットＢに有線で接続される専用の表示装置やＬＡＮ接続で無線接続される専用の表示装置を用い、受信したテレビ放送の映像を画面表示してもよいが、ヘッドホンＡ及びヘッドセットＢは近距離無線通信回路９、すなわち、Bluetoothを搭載したＢＴ機器であるので、このBluetoothを利用して他のＢＴ機器２０、３０、４０と接続し、その他のＢＴ機器２０、３０、４０に含まれる表示装置に画面表示する。この場合、ヘッドホンＡ又はヘッドセットＢのBluetoothボタンをオンにし（BluetoothボタンがオンになるとこれをBluetoothＬＥＤが点滅して表示する。）、近距離無線通信回路９、すなわち、Bluetoothを動作させる。ここで、ＢＴ機器間でのデータコネクションは自動的に行われるので、ＢＴ機器同士では特に「接続する」という操作をしなくても、通信範囲内に置いただけで接続が完了する。このため、Bluetoothが動作中のヘッドホンＡ又はヘッドセットＢを装着した使用者の近くに他のＢＴ機器２０、３０、４０を置くと、これらはワイヤレスで接続される（接続状態になるとこれをBluetoothＬＥＤが点灯して表示する。）。この接続状態において、受信したテレビの映像信号は映像処理回路に入力され、ここで各種の信号処理が施されてからＣＯＤＥＣ１１に入力され、デジタルコードに変換され、映像データとして近距離無線通信回路９に入力され、通信用のアンテナ８から他のＢＴ機器２０、３０、４０に送信される。これにより、他のＢＴ機器２０、３０、４０は映像データを受信し、これに含まれる表示装置の例えばＣＰＴに受信したテレビ放送の映像を画面表示する。すなわち、使用者はテレビの放送電波を受信できる場所であれば、専用の表示装置を用いることなく、他のＢＴ機器２０、３０、４０に含まれる表示装置を用いて、外出先等であっても、好きなテレビ番組の映像を音声を聞きながらその放送時間に見て楽しむことができる。
【００５８】
また、記録スイッチがオン時には（記録スイッチがオンになるとこれをＲＥＣＬＥＤの緑色点灯で表示する。）、ＣＰＵ１０はテレビの映像信号をＣＯＤＥＣ１１に入力し、デジタルコードに変換してから、デジタル映像データとして、カードコネクタ１５に予め装填されているメモリーカード１４に記録（録画）する。このメモリーカード１４に記録したデジタル映像データは使用者による再生ボタン操作に基づきＣＰＵ１０により、メモリーカード１４から出力され、近距離無線通信回路９に入力され、通信用のアンテナ８から他のＢＴ機器２０、３０、４０に送信される。これにより、他のＢＴ機器２０、３０、４０は映像データを受信し、これに含まれる表示装置の例えばＣＰＴにテレビ放送の映像を画面表示する。すなわち、再生される。これにより、使用者は専用の表示装置を用いることなく、他のＢＴ機器２０、３０、４０に含まれる表示装置を用いて、外出先等であっても、好きな時にテレビ番組の映像を音声を聞きながら見て楽しむことができる。
【００５９】
ヘッドホンＡ及びヘッドセットＢは内蔵のチューナ機能を使用しなくても、ラジオやテレビ放送の他、音楽やＤＶＤ、ビデオ映像を聞いたり見たりして楽しむことができる。それは、ヘッドホンＡ又はヘッドセットＢを他のＢＴ機器２０、３０、４０とワイヤレスで接続した状態で、他のＢＴ機器２０、３０、４０からラジオやテレビ放送の他、音楽等の音信号やＤＶＤ、ビデオ映像等の映像信号を送信し、これをヘッドホンＡ又はヘッドセットＢの通信用のアンテナ８で受けて近距離無線通信回路９により受信し、受信した音信号や映像信号を記録スイッチのオン操作により、ＣＰＵ１０によりデジタル音データや映像データとして、カードコネクタ１５に予め装填されているメモリーカード１４に記録する。そして、このメモリーカード１４に記録したデジタル音声データや映像データを使用者による再生ボタン操作に基づきＣＰＵ１０により、メモリーカード１４から出力し、デジタル音声データをＣＯＤＥＣ１１に入力して、アナログ音声信号に変換してから、ボリューム、アンプに入力し、スピーカ１から音声出力する。また、デジタル映像データは近距離無線通信回路９に出力し、通信用のアンテナ８から他のＢＴ機器２０、３０、４０に送信することで、他のＢＴ機器２０、３０、４０は映像データを受信し、これに含まれる表示装置の例えばＣＰＴにテレビ放送の映像を画面表示する。すなわち、再生される。これにより、使用者は外出先等であっても、ラジオやテレビ放送の他、音楽やＤＶＤ、ビデオ映像を聞いたり見たりして楽しむことができる。
【００６０】
ヘッドホンＡ又はヘッドセットＢは内蔵のチューナ機能や近距離無線通信機能（Bluetooth通信機能）を使用しなくても、ラジオやテレビの放送音声の他、音楽やＤＶＤ、ビデオの音声を聞いて楽しむことができる。それは、ヘッドホンＡ又はヘッドセットＢが具備する着脱可能な記憶手段、すなわち、メモリーカード１４を利用する。メモリーカード１４を他のＰＣ、ＰＤＡ、携帯電話、オーディオ機器、ＡＶ機器等のスロットに差し込み、メモリーカード１４にラジオやテレビ放送、音楽やＤＶＤ、ビデオ映像を記録させる。このメモリーカード１４をヘッドホンＡ又はヘッドセットＢのカードコネクタ１５に装填すれば、使用者による再生ボタン操作に基づきＣＰＵ１０により、メモリーカード１４からデジタル音声データを出力し、このデジタル音声データをＣＯＤＥＣ１１に入力して、アナログ音声信号に変換してから、ボリューム、アンプに入力し、スピーカ１から音声出力する。すなわち、再生される。これにより、使用者は外出先等であっても、ラジオやテレビの放送音声の他、音楽やＤＶＤ、ビデオの音声を聞いて楽しむことができる。この時、ヘッドホンＡ又はヘッドセットＢのBluetoothボタンをオンにし、他のＢＴ機器２０、３０、４０とワイヤレスで接続しておけば、メモリーカード１４に記録されたデジタル映像データは使用者による再生ボタン操作に基づきＣＰＵ１０により、メモリーカード１４から出力され、近距離無線通信回路９に入力され、通信用のアンテナ８から他のＢＴ機器２０、３０、４０に送信される。これにより、他のＢＴ機器２０、３０、４０は映像データを受信し、これに含まれる表示装置の例えばＣＰＴにテレビ放送の映像を画面表示する。すなわち、再生される。これにより、使用者は専用の表示装置を用いることなく、他のＢＴ機器２０、３０、４０に含まれる表示装置を用いて、外出先等であっても、好きな時にテレビ番組、ＤＶＤ、ビデオ等の映像、音声を聞きながら見て楽しむことができる。
【００６１】
ヘッドセットＢではまた、マイクロフォン５５で生成された第１の音声信号はＣＯＤＥＣ１１に入力され、ここでデジタル音声データに変換される。そして、使用者によりBluetoothボタンがオン操作され、他のＢＴ機器２０、３０、４０とワイヤレスで接続されると、デジタル音声データはＣＰＵ１０により、近距離無線通信回路９に入力され、通信用のアンテナ８から他のＢＴ機器２０、３０、４０に送信される。このデジタル音声データを使って、例えばＢＴ機器であるＰＣ２０を操作したり、ＰＣ２０上の音声認識ソフトを使って文章の入力をワイヤレスで行ったりすることができる他、ＰＣ側から送信されたデジタル音声データをヘッドセットＢの通信用のアンテナ８で受けて近距離無線通信回路９により受信し、受信したデジタル音声データをＣＯＤＥＣ１１に入力して、アナログ音声信号に変換してから、ボリューム、アンプに入力し、スピーカ１から音声出力する。このＰＣ２０との双方向通信により、ＰＣ２０上の電子会議ソフトを使って、ワイヤレスで電子会議に参加したりインターネットでボイスチチャットを行うことも可能になる。さらに、ＰＣ２０のＩＰ電話や携帯電話機４０にかかってきた電話に出てハンズフリーで通話することができる。この双方向通信時、記録スイッチをオン操作しておけば、ＣＰＵ１０により、マイクロフォン５５から入力され、ＣＯＤＥＣ１１で変換されたデジタル音データ（使用者の声）及びＰＣ２０や携帯電話機４０から送信され、通信用のアンテナ８で受けて近距離無線通信回路９により受信したデジタル音データ（通話相手の声）を、カードコネクタ１５に予め装填されているメモリーカード１４に記録する。また、この記録されたデジタル音声データは使用者による再生ボタン操作に基づきＣＰＵ１０により、メモリーカード１４から出力され、ＣＯＤＥＣ１１に入力して、アナログ音声信号に変換してから、ボリューム、アンプに入力し、スピーカ１から音声出力する。すなわち、再生される。これにより、ヘッドセットＢをボイスレコーダーとしても使用することができる。
【００６２】
尚、ヘッドホンＡ及びヘッドセットＢは他のＢＴ機器２０、３０、４０との連携で、録再システムとして、ヘッドホンＡ及びヘッドセットＢのチューナ機能、近距離通信機能（Bluetooth）、録再機能をフル活用することで、上記以外にも多彩な機能を提供できる。また、データ圧縮技術を用い、送受信データや記録データを小さくして、音声や映像データの送受信や記録を行ってもよい。
【００６３】
次に、図３〜図７を参照してカードコネクタ１５について説明する。
【００６４】
ヘッドホンＡ及びヘッドセットＢの耳あて部２に内蔵するカードコネクタ１５はＰＣＢ等に対する実装高さを低く抑え、かつ、実装面積も小さい低背小型のタイプである。このカードコネクタ１５は薄い矩形箱状のコネクタハウジング１０１を備える。このコネクタハウジング１０１は絶縁材料（樹脂材料）よりなるボディ１０２（第１ケース体）と、このボディ１０２に嵌合する導電材料（金属材料）よりなるカバー（第２ケース体）１０３とで構成され、メモリーカード１４を挿入するスロット入り口１０４を前側面に開口形成し、スロット入り口１０４からコネクタハウジング１０１の内部空間にメモリーカード１４が挿入収容される。すなわち、コネクタハウジング１０１がメモリーカード１４を挿入収容するスロット１０５を耳あて部２に形成する。
【００６５】
カードコネクタ１５はまた、メモリーカード１４とヘッドホンＡ及びヘッドセットＢのＣＰＵ１０のＰＣＢ（ＣＰＵボード）とを電気的に接続するための複数の接続端子（コンタクト）１０６を備える。この接続端子１０６は導電材料（金属材料）よりなる細長い板片で構成され、ボディ１０２の後部に並列に一体に取り付けられ、各接続端子１０６の前半部を上下に弾性変位可能にボディ１０２の後部表面（スロット１０５の奥部底面）から前上がり傾斜状に突出させて、この各弾性アーム状の先端部にスロット１０５に挿入収容されたメモリーカード１４の各電極に接触させて電気的に接続するための内部接点１０７を有し、各接続端子１０６の後端部をボディ１０２からコネクタハウジング１０１の外側に突出させ、その各突出端部にカードコネクタ１５が実装されるＣＰＵボードの各電極に半田付けにより電気的に接続するための外部接点１０８を有する。
【００６６】
カードコネクタ１５はさらに、内部機構として所謂プッシュイン／プッシュアウト型のイジェクト機構１０９を備える。このイジェクト機構１０９はボディ１０２の内部一側端部に前後方向に摺動自在に配備され、ボディ１０２の内側に向かって突出するカード受け止め部１１０を後端部に有し、板バネよりなるカードハーフロック部材１１１を収容保持し、かつ、ハーフロック部材１１１の弾性アーム部の先端部に有する係止爪１１２を退入可能にボディ１０２の内側に向かって突出する凹部１１３を中間部に有し、略ハート形状に形成され、後端頂部の起点部１１４と前端窪み部の係止部１１５とを往路１１６及び復路１１７によりつなぐカム溝１１８を前部に有する、スライダ１１９と、このスライダ１１９を後方に常時付勢するコイルバネ１２０と、両端部を一方向に直角に折り曲げた細長い金属棒からなり、前端折り曲げ部をこの軸回りに回動自在にボディ１０２の前端部に支持させて、後端折り曲げ部（揺動端部）をカム溝１１８に摺動自在に嵌入するカムピン１２１とで構成され、カード未挿入時、スライダ１１９はこの前端がボディ１０２の前端に突き当たるイジェクト位置にコイルバネ１２０により復帰保持され、カムピン１２１の後端折り曲げ部がカム溝１１８の起点部１１４に嵌入されている（図５に示す状態。）。
【００６７】
イジェクト機構１０９は、メモリーカード１４が正規挿入姿勢でスロット入り口１０４からスロット１０５に挿入されると、挿入されたメモリーカード１４の前端角落し部１２２の角落し領域に受け止め部１１０が嵌合し、これと同時にハーフロック部材１１１の係止爪１１２が挿入されたメモリーカード１４のハーフロック用の係合溝１２３に嵌り込む。これにより、挿入されたメモリーカード１４とスライダ１１９がカード挿抜方向で係合連結される（図５に示す状態。）。この状態でさらにメモリーカード１００がスロット１０５に押し込まれると、受け止め部１１０が後方へ押圧されてスライダ１１９がメモリーカード１４と一体にイジェクト位置からコイルバネ１２０に抗して後方へ摺動し、スライダ１１９の後端がボディ１０２の後端に突き当たる最押し込み位置まで摺動する（図６に示す状態。ただし、仮想線で示すカムピン１２１は除く。）。この時点でメモリーカード１４の押し込みを解除すると、スライダ１１９はコイルバネ１２０により最押し込み位置から前方へ押し戻される。このスライダ１１９のイジェクト位置からの一連の動作により、カムピン１２１の後端折り曲げ部がカム溝１１８の起点部１１４から往路１１６を経て係止部１１５に導入係止され、スライダ１１９の前方への摺動を最押し込み位置より少し手前の位置（カード装着位置）で規制し、ボディ１０２に対してスライダ１１９をカード装着位置で位置保持する（ロックする）。これにより、スライダ１１９とカード挿抜方向で係合連結されているメモリーカード１４はスロット１０５のカード装着位置に収容保持され、同時にメモリーカード１４の各電極と各接続端子１０６の内部接点１０７とが接触して電気的に接続される（図７に示す状態。）。
【００６８】
また、メモリーカード１４がスロット１０５のカード装着位置に収容保持されている状態（図７に示す状態）で、メモリーカード１４の押し込み操作を行うことにより、再び、受け止め部１１０が後方へ押圧されてスライダ１１９がメモリーカード１４と一体にカード装着位置からコイルバネ１２０に抗して後方へ摺動し、最押し込み位置に摺動する。このスライダ１１９のカード装着位置から最押し込み位置への押し込み動作により、カムピン１２１の後端折り曲げ部がカム溝１１８の係止部１１５から離脱して復路１１６に導入されて、スライダ１１９の前方への摺動規制が解除される（図６に示す状態。ただし、実線で示すカムピン１２１は除く。）。この時点でメモリーカード１４の押し込みを解除することにより、スライダ１１９はコイルバネ１２０により最押し込み位置から前方へ摺動してイジェクト位置へと復帰し、スライダ１１９とカード挿抜方向で係合連結されているメモリーカード１４はスロット１０５のイジェクト位置まで排出され、そのイジェクト位置で保持される（図５に示す状態）。スロット１０５のイジェクト位置に保持されているメモリーカード１４はスロット入り口１０４から突出している前端部を指で摘み引き抜くことにより、ハーフロック部材１１１の係止爪１１２がメモリーカード１４のハーフロック用の係合溝１２３から離脱して、ハーフロックが解除され、スロット１０５からスロット入り口１０４を経て抜き去られる。
【００６９】
カードコネクタ１５はＣＰＵボードの電極に各接続端子１０６の外部接点１０８を半田付けして電気的に接続した状態でこのＣＰＵボードに実装されて、耳あて部２のハウジングに開口形成されたスロット孔１６にスロット入り口１０４を開口するように、耳あて部２に内蔵され、スロット孔１６及びスロット入り口１０４からスロット１０５に挿入収容されたメモリーカード１４をＣＰＵボードに電気的に接続させるという機能を発揮し、音や映像データの入出力を可能にする。
【００７０】
耳あて部２のハウジング２ａに開口するスロット孔１６及びカードコネクタ１５のスロット入り口１０４、すなわち、メモリーカード１４を挿抜するヘッドホンＡ及びヘッドセットＢのカード挿入口には、このカード挿入口から耳あて部２の内部に塵埃や雨水が侵入するのを防止する防塵・防水手段を備える。その防塵・防水手段の一例を図８の（ａ）、（ｂ）、（ｃ）に示す。（ａ）に示す防塵・防水手段はカードコネクタ１５のスロット入り口１０４に開閉自在に取り付ける防塵・防水ドア１７で構成される。この防塵・防水ドア１７はメモリーカード１４の未挿入時には実線に示す閉姿勢に復帰バネとストッパーにより保持され、カード挿入口（スロット入り口１０４）を閉じて防塵・防水機能を発揮する。また、メモリーカード１４の挿入時にはそのメモリーカード１４の挿入に伴ってその先端により押されて、復帰バネに抗して内側に倒伏開動し、カード挿入口（スロット入り口１０４）を開き、メモリーカード１４によりコネクタハウジング１０１との隙間に仮想線に示す倒伏姿勢で収容保持される。さらに、メモリーカード１４の抜去により復帰バネの付勢により閉姿勢に復帰閉動する。１７ａは防塵・防水ドア１７のドア支点を示す。この防塵・防水ドア１７は耳あて部２のハウジング２ａ側に開閉自在に取り付け、スロット孔１６を開閉するようにしてもよい。（ｂ）に示す防塵・防水手段は耳あて部２のハウジング２ａの内面にガイドレールを介してメモリーカード１４の厚み方向にスライド自在に取り付ける防塵・防水シャッター１８で構成される。この防塵・防水シャッター１８はメモリーカード１４の未挿入時には実線に示す閉位置に復帰バネとストッパーにより保持され、カード挿入口（スロット孔１６）を閉じて防塵・防水機能を発揮する。また、メモリーカード１４の挿入時には、防塵・防水シャッター１８に一体形成されて、ノッチ２ｃを有するガイド孔２ｂを介して耳あて部２のハウジング２ａの外面に突出されるシャッターノブ１８ａを操作し、防塵・防水シャッター１８を復帰バネに抗して仮想線に示す開位置にスライドさせ、かつ、その開位置でシャッターノブ１８ａをガイド孔２ｂのノッチ２ｃに係合させることで、防塵・防水シャッター１８を仮想線に示す開位置に保持し、カード挿入口（スロット孔１６）を開き、メモリーカード１４の挿入を可能にする。さらに、メモリーカード１４の抜去後、シャッターノブ１８ａをガイド孔２ｂのノッチ２ｃから離脱させることで、防塵・防水シャッター１８は復帰バネの付勢力により閉位置に復帰スライドする。（ｃ）に示す防塵・防水手段は耳あて部２のハウジング２ａにおけるスロット孔１６の周縁部に周囲を接着固定させ、スロット孔１６を塞ぐ横長な矩形薄板状のゴム、スポンジ、ウレタン等の柔軟材料からなる防塵・防水用のスリット付き栓体１９で構成される。スリットはスロット孔１６の中央部に形成される横一文字状の第１スリット１９ａとその両端部からスロット孔１６の各角部に向かって延設する栓体１９の各角部には達しない傾斜状の４本の第２スリット１９ｂからなり、メモリーカード１４の未挿入時には栓体１９自体の剛性によりカード挿入口（スロット孔１６）を閉じて防塵・防水機能を発揮する。また、メモリーカード１４の挿入時にはそのメモリーカード１４の挿入に伴ってその先端によりスリット１９ａ、１９ｂを介して栓体１９が押し破られることで、カード挿入口（スロット孔１６）を開き、メモリーカード１４の挿入を可能にする。さらに、メモリーカード１４の抜去により栓体１９自体の弾性によりカード挿入口（スロット孔１６）を閉じる。この防塵・防水用の栓体１９はカードコネクタ１５のスロット入り口１０４に設けてもよい。また、スロット孔１６とスロット入り口１０４の両方に設けて二重構造に構成してもよい。その他、耳あて部２のハウジング２ａにおけるスロット孔１６に外から嵌合するキャップ型の防塵・防水手段を採用してもよい。
【００７１】
図３〜図７では一種類のメモリーカード１４に使用できる専用のカードコネクタ１５を示したが、ヘッドホンＡ及びヘッドセットＢの汎用性を生かす上でも、少なくとも長さの異なる２種類のメモリーカードに共用できるカードコネクタが好ましい。これは２種類のカードが挿入可能なコネクタハウジングに、短いカード用コンタクトと長いカード用コンタクトをカード挿入方向に沿って手前側と奥側に前後２列に備えるものである。
【００７２】
以上の如く、請求項１に係る発明のヘッドホンＡは、放送電波を選局受信して少なくとも放送音声を出力部１から出力するチューナ７と、受信した放送音声を記録する記憶手段１４を有し、記録した前記放送音声を前記出力部１から出力する録再手段１０とを備える。このヘッドホンＡでは、外出先等であっても、使用者の好きな時に内蔵チューナ７により放送電波を受信することができると共に、受信した放送音声を記憶手段１４に記録し再生することができるので、外出先等であっても、使用者の好きな時に前記放送音声を楽しむことができる。
【００７３】
請求項２に係る発明のヘッドホンＡは、他の機器２０，３０，４０等と相互無線通信を行う近距離無線通信手段９と、前記機器２０，３０，４０等から送信される音信号を出力部１から出力すると共に、前記音信号を記録する記憶手段１４を有し、記録した音信号を前記出力部１から出力する録再手段１０とを備える。このヘッドホンＡでは、近距離無線通信手段９により送受信可能な例えば据え置き型や携帯型のＰＣ２０、ＰＤＡ３０、携帯電話４０、カーナビゲーション等の他の機器からラジオやテレビ放送の他、音楽等の音信号に加え、ビデオ映像等の映像信号も取り込み記憶手段１４に記録することができる。記録した音声や音楽は出力部１から出力し、また、映像は近距離無線通信手段９により送受信可能な前記機器２０，３０，４０等に送信しその機器２０，３０，４０等に含まれる表示装置に画面表示することができるので、外出先等であっても、使用者の好きな時に前記ラジオやテレビの他、音楽や映像等も楽しむことができる。また、近距離無線通信手段９により前記機器２０，３０，４０等とワイヤレスで接続し、記録手段１４に記録した音や映像をその機器を通じ公衆通信網を介して第三者にも聞かせたり見せたりすることもできる。
【００７４】
請求項３に係る発明のヘッドホンＡは、放送電波を選局受信して少なくとも放送音声を出力部１から出力するチューナ７と、他の機器２０，３０，４０等と相互無線通信を行う近距離無線通信手段９と、前記機器２０，３０，４０等から送信される音信号を前記出力部１から出力すると共に、前記放送音声や前記音信号を記録する記憶手段１４を有し、記録した前記放送音声や前記音信号を前記出力部１から出力する録再手段１０とを備える。このヘッドホンＡでは、チューナ７により受信した放送音声を録再手段１０により記録し再生することができる。また、近距離無線通信手段９により送受信可能な例えばＰＣ２０、ＰＤＡ３０、携帯電話４０、カーナビゲーション等の他の機器からラジオやテレビ放送の他、音楽等の音信号に加え、ビデオ映像等の映像信号も取り込み記憶手段１４に記録することができる。記録した音声や音楽は出力部１から出力し、また、映像は近距離無線通信手段９により送受信可能な前記機器２０，３０，４０等に送信しその機器２０，３０，４０等に含まれる表示装置に画面表示することができる。このため、外出先等であっても、使用者の好きな時に前記ラジオやテレビの他、音楽や映像等も楽しむことができる。また、近距離無線通信手段９により前記機器２０，３０，４０等にワイヤレスで接続し、記憶手段１４に記録した音や映像をその機器を通じ公衆通信網を介して第三者にも聞かせたり見せたりすることができる。
【００７５】
請求項４に係る発明のヘッドホンＡは、請求項２又は３に係る発明のヘッドホンＡに、近距離無線通信手段９はBluetoothである点が付加されたものである。このヘッドホンＡでは、Bluetoothが搭載された例えば据え置き型や携帯型のＰＣ２０、ＰＤＡ３０、携帯電話４０、カーナビゲーション等の他の機器（以下、「ＢＴ機器」という。）とワイヤレスで接続でき、しかも、ＢＴ機器２０，３０，４０等であればメーカー、機種等を問うことなく接続することができると共に、その接続可能な各種ＢＴ機器２０，３０，４０等からラジオやテレビ放送の他、音楽等の音信号に加え、ビデオ映像等の映像信号も容易に取り込むことができるので、汎用性及び利便性に優れる。
【００７６】
請求項５に係る発明のヘッドホンＡは、請求項１又は３に係る発明のヘッドホンＡに、前記チューナ７はラジオ放送を受信する点が付加されたものである。このヘッドホンＡでは、外出先等であっても、使用者の好きな時に内蔵チューナ７ａによりラジオ放送を受信することができると共に、受信したラジオ放送を記憶手段１４に記録し再生することができるので、外出先等であっても、使用者の好きな時に前記ラジオを楽しむことができる。
【００７７】
請求項６に係る発明のヘッドホンＡは、請求項１又は３に係る発明のヘッドホンＡに、前記チューナ７はテレビ放送を受信し、前記放送音声を出力すると共に、受信した放送映像を出力する表示装置を備える点が付加されたものである。このヘッドホンＡでは、外出先等であっても、使用者の好きな時に内蔵チューナ７ｂによりテレビ放送を受信することができると共に、受信した放送音声や映像を記憶手段１４に記録することができる。記録した放送音声は出力部１から出力し、また、映像は有線又は無線で表示装置に画面表示することができるので、外出先等であっても、使用者の好きな時に前記テレビを楽しむことができる。
【００７８】
請求項７に係る発明のヘッドホンＡは、請求項３又は４に係る発明のヘッドホンＡに、前記チューナ７はテレビ放送を受信し、受信した前記放送音声をヘッドホンＡの前記出力部１に出力し、且つ、受信した放送映像を近距離無線通信手段９により前記機器２０，３０，４０等に送信しその機器２０，３０，４０等に含まれる表示装置に画面表示すると共に、前記放送音声や前記放送映像を前記記憶手段１４に記録し、記録した前記放送音声を前記出力部１から出力し、記録した前記放送映像を近距離無線通信手段９により前記機器２０，３０，４０等に送信し前記表示装置に画面表示する点が付加されたものである。このヘッドホンでは、外出先等であっても、使用者の好きな時に内蔵チューナ７ｂによりテレビ放送を受信することができると共に、受信した放送音声や映像を記憶手段１４に記憶することができる。記録した放送音声は出力部１から出力し、また、映像は近距離無線通信手段９により送受信可能な前記機器２０，３０，４０等に送信しその機器２０，３０，４０等に含まれる表示装置に画面表示することができるので、外出先等であっても、使用者の好きな時に前記テレビを楽しむことができる。
【００７９】
請求項８に係る発明のヘッドホンＡは、請求項１乃至７に係る発明のヘッドホンＡに、電源１２として一次電池又は二次電池を備える点が付加されたものである。このヘッドホンＡでは、各部が内蔵電源１２で作動しワイヤレスで使用できる。
【００８０】
請求項９に係る発明のヘッドホンＡは、請求項１乃至８に係る発明のヘッドホンＡに、ＣＰＵ１０を内蔵し、前記記憶手段１４はＣＰＵ１０によりデータの書き込み及び読み出しを行う着脱可能なメモリーカード１４である点が付加されたものである。このヘッドホンでは、各部がＣＰＵ１０により作動制御されると共に、例えば据え置き型や携帯型のＰＣ２０、ＰＤＡ３０、携帯電話４０、カーナビゲーション等の他の機器によりメモリーカード１４にラジオやテレビ放送の他、音楽等の音信号に加え、ビデオ映像等の映像信号を記録することができる。メモリーカード１４に記録した音声や音楽は出力部１から出力することで、外出先等であっても、使用者の好きな時に前記音声や音楽等を楽しむことができる。また、メモリーカード１４に記録した映像は有線又は無線で専用の表示装置に画面表示したり、近距離無線通信手段９により送受信可能な例えばＰＣ２０、ＰＤＡ３０、携帯電話４０、カーナビゲーション等の他の機器に送信しその機器２０，３０，４０等に含まれる表示装置に画面表示することで、外出先等であっても、使用者の好きな時に前記映像を楽しむことができる。さらに、音や映像は、メモリーカード１４により規格が異なる近距離無線通信手段９を持っている他の機器２０，３０，４０等や近距離通信手段９を持っていない他の機器からでも得ることができ、汎用性及び利便性に優れると共に、メモリーカード１４に記録した音や映像をそのメモリーカード１４を介して第三者にも聞かせたり見せたりすることができる。
【００８１】
請求項１０に係る発明のヘッドホンＡは、請求項９に係る発明のヘッドホンＡに、耳あて部２に、カードコネクタ１５を内蔵すると共に、メモリーカード１４を挿抜するカード挿入口１６、１０４を備え、該カード挿入口１６、１０４は防塵・防水手段１７、１８、１９を備える点が付加されたものである。このヘッドホンＡでは、防塵・防水手段１７、１８、１９によりカード挿入口１６、１０４から耳あて部２の内部に塵埃や雨水等が浸入するのを防止できるので、耳あて部２に内蔵されるカードコネクタ１５、ＣＰＵ１０ボード、出力部１、バッテリ１２等の電気・電子部品を塵埃や雨水から保護できる。また、カード挿入口１６、１０４を耳あて部２の上面や側面に開口でき、メモリーカード１４の挿抜を容易に行うことができると共に、操作ボタンの配置等も含めて耳あて部２の設計の自由度を上げることができる。
【００８２】
請求項１１に係る発明のヘッドセットＢは、使用者の音声を検出して第１の音声信号を生成するマイクロフォン５と、第１の音声信号を他の機器２０，３０，４０等に送信し、他の機器２０，３０，４０等から送信される音信号を受信する近距離無線通信手段９と、第１の音声信号や受信した音信号を出力する出力部１と、前記第１の音声信号や受信した音信号を記録する記憶手段１４を有し、記録した第１の音声信号や音信号を出力部１から出力する録再手段１０とを備える。このヘッドセットＢでは、近距離無線通信手段９により例えば据え置き型や携帯型のＰＣ２０や電話機とワイヤレスで接続でき、例えばＩＰ電話や携帯電話機４０にかかってきた電話に出てハンズフリーで通話することができる他、電子会議に参加したり、インターネット上でボイスチャットを行うことができ、また、使用者の音声による前記ＰＣ２０や電話機のリモート操作も行うことができる。加えて記録手段１４に使用者の声及び通話相手の声を記録し再生することができるので、ボイスレコーダーとしても使用することができる。さらに、近距離無線通信手段９により送受信可能な例えば据え置き型や携帯型のＰＣ２０、ＰＤＡ３０、携帯電話４０、カーナビゲーション等の他の機器からラジオやテレビ放送の他、音楽等の音信号に加え、ビデオ映像等の映像信号も取り込み記憶手段１４に記録することができる。記録した音声や音楽は出力部１から出力し、また、映像は近距離無線通信手段９により送受信可能な前記機器２０，３０，４０等に送信しその機器２０，３０，４０等に含まれる表示装置に画面表示することができるので、外出先等であっても、使用者の好きな時に前記ラジオやテレビの他、音楽や映像等も楽しむことができる。また、近距離無線通信手段９により前記機器２０，３０，４０等とワイヤレスで接続し、記録手段１４に記録した音や映像をその機器２０，３０，４０等を通じ公衆通信網を介して第三者にも聞かせたり見せたりすることもできる。
【００８３】
請求項１２に係る発明のヘッドセットＢは、請求項１１に係る発明のヘッドセットＢに、放送電波を選局受信して少なくとも放送音声を出力部１から出力するチューナ７を備え、受信した放送音声を前記記憶手段１４に記録し、記録した前記放送音声を前記出力部１から出力する点が付加されたものである。このヘッドセットＢでは、外出先等であっても、使用者の好きな時に内蔵チューナ７により放送電波を受信することができると共に、受信した放送音声を記憶手段１４に記録し再生することができるので、外出先等であっても、使用者の好きな時に前記放送音声を楽しむことができる。
【００８４】
請求項１３に係る発明のヘッドセットＢは、請求項１２に係る発明のヘッドセットＢに、前記チューナ７はラジオ放送を受信する点が付加されたものである。このヘッドセットＢでは、外出先等であっても、使用者の好きな時に内蔵チューナ７ａによりラジオ放送を受信することができると共に、受信したラジオ放送を記憶手段１４に記録し再生することができるので、外出先等であっても、使用者の好きな時に前記ラジオを楽しむことができる。
【００８５】
請求項１４に係る発明のヘッドセットＢは、請求項１２に係る発明のヘッドセットＢに、前記チューナ７はテレビ放送を受信し、前記放送音声を出力すると共に、受信した放送映像を出力する表示装置を備える点が付加されたものである。このヘッドセッドＢでは、外出先等であっても、使用者の好きな時に内蔵チューナ７ｂによりテレビ放送を受信することができると共に、受信した放送音声や映像を記憶手段１４に記録することができる。記録した放送音声は出力部１から出力し、また、映像は有線又は無線で表示装置に画面表示することができるので、外出先等であっても、使用者の好きな時に前記テレビを楽しむことができる。
【００８６】
請求項１５に係る発明のヘッドセットＢは、請求項１２に係る発明のヘッドセットＢに、前記チューナ７はテレビ放送を受信し、受信した前記放送音声を前記出力部１に出力し、且つ、受信した放送映像を前記近距離無線通信手段９により前記機器２０，３０，４０等に送信しその機器２０，３０，４０等に含まれる表示装置に画面表示すると共に、前記放送音声や前記放送映像を前記記憶手段１４に記録し、記録した前記放送音声を前記出力部１から出力し、記録した前記放送映像を近距離無線通信手段９により前記機器２０，３０，４０等に送信し前記表示装置に画面表示する点が付加されたものである。このヘッドセットＢでは、外出先等であっても、使用者の好きな時に内蔵チューナ７ｂによりテレビ放送を受信することができると共に、受信した放送音声や映像を記憶手段１４に記憶することができる。記録した放送音声は出力部１から出力し、また、映像は近距離無線通信手段９により送受信可能な前記機器２０，３０，４０等に送信しその機器２０，３０，４０等に含まれる表示装置に画面表示することができるので、外出先等であっても、使用者の好きな時に前記テレビを楽しむことができる。
【００８７】
請求項１６に係る発明のヘッドセットＢは、請求項１１乃至１５に係る発明のヘッドセットＢに、近距離無線通信手段９はBluetoothである点が付加されたものである。このヘッドセットＢでは、Bluetoothが搭載された例えば据え置き型や携帯型のＰＣ２０、ＰＤＡ３０、携帯電話４０、カーナビゲーション等の他の機器（以下、「ＢＴ機器」という。）とワイヤレスで接続でき、しかも、ＢＴ機器２０，３０，４０等であればメーカー、機種等を問うことなく接続することができると共に、その接続可能な各種ＢＴ機器２０，３０，４０等からラジオやテレビ放送の他、音楽等の音信号に加え、ビデオ映像等の映像信号も容易に取り込むことができるので、汎用性及び利便性に優れる。
【００８８】
請求項１７に係る発明のヘッドセットＢは、請求項１１乃至１６に係る発明のヘッドセットＢに、電源１２として一次電池又は二次電池を備える点が付加されたものである。このヘッドセットＢでは、各部が前記電源１２で作動しワイヤレスで使用できる。
【００８９】
請求項１８に係る発明のヘッドセットＢは、請求項１１乃至１７に係る発明のヘッドセットＢに、ＣＰＵ１０を内蔵し、前記記憶手段１４はＣＰＵ１０によりデータの書き込み及び読み出しを行うメモリーカード１４である点が付加されたものである。このヘッドセットＢは、各部がＣＰＵ１０により作動制御されると共に、例えば据え置き型や携帯型のＰＣ２０、ＰＤＡ３０、携帯電話４０、カーナビゲーション等の他の機器によりメモリーカード１４にラジオやテレビ放送の他、音楽等の音信号に加え、ビデオ映像等の映像信号を記録することができる。メモリーカード１４に記録した音声や音楽は出力部１から出力することで、外出先等であっても、使用者の好きな時に前記音声や音楽等を楽しむことができる。また、メモリーカード１４に記録した映像は有線又は無線で専用の表示装置に画面表示したり、近距離無線通信手段９により送受信可能な例えばＰＣ２０、ＰＤＡ３０、携帯電話４０、カーナビゲーション等の他の機器に送信しその機器２０，３０，４０等に含まれる表示装置に画面表示することで、外出先等であっても、使用者の好きな時に前記映像を楽しむことができる。さらに、音や映像は、メモリーカード１４により規格が異なる近距離無線通信手段を持っている他の機器や近距離無線通信機能を持っていない他の機器からでも得ることができ、汎用性及び利便性に優れると共に、メモリーカード１４に記録した音や映像をそのメモリーカード１４を介して第三者にも聞かせたり見せたりすることができる。
【００９０】
請求項１９に係る発明のヘッドセットＢは、請求項１８に係る発明のヘッドセットＢに、耳あて部２に、カードコネクタ１５を内蔵すると共に、メモリーカード１４を挿抜するカード挿入口１６、１０４を備え、該カード挿入口１６、１０４は防塵・防水手段１７、１８、１９を備える点が付加されたものである。このヘッドセットＢでは、防塵・防水手段１７、１８、１９によりカード挿入口１６、１０４から耳あて部２の内部に塵埃や雨水等が浸入するのを防止できるので、耳あて部２に内蔵されるカードコネクタ１５、ＣＰＵ１０ボード、出力部１、バッテリ１２等の電気・電子部品を塵埃や雨水から保護できる。また、カード挿入口１６、１０４を耳あて部２の上面や側面に開口でき、メモリーカード１４の挿抜を容易に行うことができると共に、操作ボタンの配置等も含めて耳あて部２の設計の自由度を上げることができる。
【００９１】
請求項２０に係る発明の録再システムＣは、Bluetooth規格による無線通信手段９を有するヘッドホンＡ又はヘッドセットＢと、該ヘッドホンＡ又はヘッドセットＢと前記無線通信手段９により送受信可能な機器２０，３０，４０等とを含み、前記ヘッドホンＡ又はヘッドセットＢは、ラジオ放送を選局受信するチューナ７ａとテレビ放送を選局受信するチューナ７ｂの一方又は両方と、前記ヘッドホンＡ又はヘッドセットＢと前記機器２０，３０，４０等との間で送受信される音信号や前記チューナ７により受信した放送音声を記録する記憶手段１４を有し、記録内容を出力部１から出力する録再手段１０とを備える。この録再システムＣでは、前記無線通信手段９により例えば据え置き型や携帯型のＰＣ２０、ＰＤＡ３０、携帯電話４０、カーナビゲーション等のＢＴ機器からラジオやテレビの放送音声の他、音楽等の音信号に加え、ビデオ映像等の映像信号もヘッドホンＡ又はヘッドセットＢに取り込み記憶手段１４に記録することができる。記録した音声や音楽は出力部１から出力し、また、映像は前記無線通信手段９によりＢＴ機器２０，３０，４０等に送信しその機器２０，３０，４０等に含まれる表示装置に画面表示することができるので、外出先等であっても、使用者の好きな時に前記ラジオやテレビの他、音楽や映像等も楽しむことができる。また、前記無線通信手段９により前記ＢＴ機器２０，３０，４０等とワイヤレスで接続し、記録手段１４に記録した音や映像をその機器２０，３０，４０等を通じ公衆通信網を介して第三者にも聞かせたり見せたりすることもできる。
【００９２】
請求項２１に係る発明の録再システムＣは、請求項２０に係る発明の録再システムＣに、前記テレビ放送用のチューナ７ｂにより受信した放送映像は、前記無線通信手段９により接続される前記機器２０，３０，４０等に含まれる表示装置に画面表示すると共に、前記ヘッドホンＡ又はヘッドセットＢの記憶手段１４に記録し、前記表示装置に画面表示する点が付加されたものである。この録再システムＣでは、外出先等であっても、使用者の好きな時に内蔵チューナ７ｂによりテレビ放送を受信することができると共に、受信した放送音声や映像を記憶手段１４に記憶することができる。記録した放送音声は出力部１から出力し、また、映像は前記無線通信手段９によりＢＴ機器２０，３０，４０等に送信しその機器２０，３０，４０等に含まれる表示装置に画面表示することができるので、外出先等であっても、使用者の好きな時に前記テレビを楽しむことができる。
【００９３】
請求項２２に係る発明の録再システムＣは、請求項２０又は２１に係る発明の録再システムＣに、前記ヘッドホンＡ又はヘッドセットＢは電源１２として一次電池又は二次電池を備える点が付加されたものである。この録再システムＣでは、ヘッドホンＡ又はヘッドセットＢが前記電源１２で作動しワイヤレスで使用できる。
【００９４】
請求項２３に係る発明の録再システムＣは、請求項２０乃至２２に係る発明の録再システムＣに、ヘッドホンＡ又はヘッドセットＢはＣＰＵ１０を内蔵し、前記記憶手段１４はＣＰＵ１０によりデータの書き込み及び読み出しを行うメモリーカード１４である点が付加されたものである。この録再システムＣでは、ヘッドホンＡ又はヘッドセットＢの動作がＣＰＵ１０により制御されると共に、例えば据え置き型や携帯型のＰＣ２０、ＰＤＡ３０、携帯電話４０、カーナビゲーション等の他の機器によりメモリーカード１４にラジオやテレビ放送の他、音楽等の音信号に加え、ビデオ映像等の映像信号を記録することができる。メモリーカード１４に記録した音声や音楽は出力部１から出力することで、外出先等であっても、使用者の好きな時に前記音声や音楽等を楽しむことができる。また、メモリーカード１４に記録した映像は前記無線通信手段９によりＢＴ機器２０，３０，４０等に送信しその機器２０，３０，４０等に含まれる表示装置に画面表示することで、外出先等であっても、使用者の好きな時に前記映像を楽しむことができる。さらに、音や映像は、メモリーカード１４により規格が異なる近距離無線通信手段を持っている他の機器や近距離無線通信を持っていない他の機器からでも得ることができ、ＢＴ機器２０，３０，４０等との連携に加えさらに汎用性及び利便性に優れると共に、メモリーカード１４に記録した音や映像をそのメモリーカード１４を介して第三者にも聞かせたり見せたりすることができる。
【００９５】
請求項２４に係る発明の録再システムＣは、請求項２３に係る発明の録再システムＣに、前記ヘッドホンＡ又はヘッドセットＢは耳あて部２に、カードコネクタ１５を内蔵すると共に、メモリーカード１４を挿抜するカード挿入口１６、１０４を備え、該カード挿入口１６、１０４は防塵・防水手段１７、１８、１９を備える点が付加されたものである。この録再システムＣでは、防塵・防水手段１７、１８、１９によりカード挿入口１６、１０４から耳あて部２の内部に塵埃や雨水等が浸入するのを防止できるので、耳あて部２に内蔵されるカードコネクタ１５、ＣＰＵ１０ボード、出力部１、バッテリ１２等の電気・電子部品を塵埃や雨水から保護できる。また、カード挿入口１６、１０４を耳あて部２の上面や側面に開口でき、メモリーカード１４の挿抜を容易に行うことができると共に、操作ボタンの配置等も含めて耳あて部２の設計の自由度を上げることができる。
【図面の簡単な説明】
【００９６】
【図１】本発明の実施形態に係るヘッドホン及びヘッドセットの外観図である。
【図２】図１のヘッドホン及びヘッドセットの回路構成と本発明の実施形態に係る録再システムを示す概念図である。
【図３】カードコネクタの前方視外観図である。
【図４】カードコネクタの後方視外観図である。
【図５】カードコネクタのカードイジェクト状態の内部構造を示す平面図である。
【図６】カードコネクタのカード最押し込み状態のイジェクト機構部を示す部分平面図である。
【図７】カードコネクタのカード装着状態のイジェクト機構部を示す部分平面図である。
【図８】防塵・防水手段の一例を示す図であり、（ａ）はドア型の防塵・防水手段を示す図、（ｂ）はシャッター型の防塵・防水手段を示す図、（ｃ）はスリット型の防塵・防水手段を示す図である。
【符号の説明】
【００９７】
Ａ・・ヘッドホン、Ｂ・・ヘッドセット、Ｃ・・録再システム、１・・スピーカ（出力部）、２・・耳あて部、３・・アーム部、５・・マイクロフォン、６・・放送電波受信用のアンテナ、７・・チューナ、７ａ・・ラジオチューナ、７ｂ・・テレビチューナ、８・・通信用アンテナ、９・・近距離通信回路（近距離通信手段「Bluetooth」）、１０・・ＣＰＵ（録再手段）、１２・・電源、１４・・メモリーカード（記憶手段）、１５・・カードコネクタ、１６・・スロット孔（カード挿入口）、１７・・防塵・防水ドア１７（防塵・防水手段）、１８・・防塵・防水シャッター（防塵・防水手段）、１９・・防塵・防水用のスリット付き栓体１９（防塵・防水手段）、２０・・ＰＣ（パーソナルコンピュータ  personal computer ）、３０・・ＰＤＡ（personal digital assistant ）、４０・・携帯電話、１０４・・スロット入り口（カード挿入口）
【図１】
2006121455.tif 000003
【図２】
2006121455.tif 000004
【図３】
2006121455.tif 000005
【図４】
2006121455.tif 000006
【図５】
2006121455.tif 000007
【図６】
2006121455.tif 000008
【図７】
2006121455.tif 000009
【図８】
2006121455.tif 000010